(57)【要約】携帯型電子機器は、第１の方向キー、および第１の方向キーの近傍に設けた第２の方向キーの各押下操作を検出して検出信号を出力するキー操作部と、表示部と、キー操作部からの検出信号に応じて表示部の画面表示を制御する制御部とを備える。この制御部は、第１の方向キーが単独で押下操作された場合に、表示部の画面に表示されるカーソルを画面で移動させるための制御情報を出力する手段と、第２の方向キーが単独で押下操作された場合に、表示部の画面上でアプリケーション設定操作を行うための制御情報を出力する手段と、第１の方向キーと第２の方向キーとが同時に押下操作された場合に、表示部の画面をスクロール移動させるための制御情報を出力する手段とを備える。
2004079556.tif 000002
【特許請求の範囲】
【請求項１】
第１の方向キー、および前記第１の方向キーの近傍に設けた第２の方向キーの各押下操作を検出して検出信号を出力するキー操作部と、表示部と、前記キー操作部からの検出信号に応じて前記表示部の画面表示を制御する制御部とを備える携帯型電子機器であって、前記制御部が、
前記第１の方向キーが単独で押下操作された場合に出力される検出信号に応じて、前記表示部の画面に表示されるカーソルを前記画面で移動させるためのカーソル移動情報を出力するカーソル移動検出手段と、
前記第１の方向キーと前記第２の方向キーとが同時に押下操作された場合に出力される検出信号に応じて、前記表示部の画面をスクロール移動させるためのスクロール操作情報を出力するスクロール移動検出手段と
を備えることを特徴とする携帯型電子機器。
【請求項２】
前記制御部は、前記カーソルの表示位置を固定したまま前記表示部の画面をスクロール移動させるための第１のスクロール操作情報を出力する手段を備えることを特徴とする請求項１記載の携帯型電子機器。
【請求項３】
前記制御部は、前記カーソルを含めた前記表示部の画面をスクロール移動させるための第２のスクロール操作情報を出力する手段を備えることを特徴とする請求項１記載の携帯型電子機器。
【請求項４】
前記制御部は、前記第２の方向キーが単独で押下操作された場合に出力される検出信号に応じて、前記表示部の画面上でアプリケーション設定操作を行うためのアプリケーション設定情報を出力するアプリケーション設定検出手段を備えることを特徴とする請求項１記載の携帯型電子機器。
【請求項５】
前記カーソル移動検出手段が出力する前記カーソル移動情報は、前記第１の方向キーがクリック操作された場合、前記表示部の画面を、前記カーソルの直前の表示位置を含む画面に戻すための制御情報であることを特徴とする請求項１記載の携帯型電子機器。
【発明の詳細な説明】
【技術分野】  本発明は、表示部の画面でデータの閲覧・編集を行うことができる、ＰＤＡ等の携帯型電子機器に関するものである。
【背景技術】  従来のコンパクト型ＰＤＡ（ｐｏｒｔａｂｌｅ＿ｄｉｇｉｔａｌ＿ａｓｓｉｓｔａｎｔｓ）は、キーボードを省くことで小型化を追求し、片手での操作を可能とした携帯型電子機器であり、個人用情報管理ツールとして様々な製品が開発され、実用化されている。例えば、パーソナルコンピュータと連携してデータの閲覧・編集ができ、モデムや携帯電話を利用して電子メールやファックスの送受信、インターネットへのアクセスができるコンパクト型ＰＤＡが知られている。
しかしながら、キーボードを省いたため、ＰＤＡ本体のみで使用することは困難であり、パーソナルコンピュータとの連携が必須である。このため、新たにデータを入力する作業には不向きであり、パーソナルコンピュータですでに用意したデータを閲覧するとしてのデータ閲覧機能や、もしくはパーソナルコンピュータですでに用意したデータの一部に変更を加える編集機能にその用途が特定されてしまうという課題があった。
例えば、従来のコンパクト型ＰＤＡとしては、マウスやキーボード等の代わりに、スタイラス・ペン（ｓｔｙｌｕｓ＿ｐｅｎ）を入力装置として備えているタイプのＰＤＡが広く使われている。このタイプのＰＤＡでは、タブレットやタッチパネルをスタイラス・ペンでポイントすることによって、ポイントした位置の絶対座標が入力される。
しかし、片手でスタイラス・ペンを操作することが困難であるために、大画面のデータを閲覧・編集する場合には、利用者が容易にデータの閲覧・編集を行うことできない等の問題があった。
なお、本発明に関連する従来の技術として、特開２００２−１４９３３４号公報には、パーソナルコンピュータ等に用いられるポインティングデバイス装置が開示されている。操作性の向上のために、円形で小型のポインティングデバイス装置には上層円蓋部と圧力センサ機構が設けられている。
また、特開平９−１３４２４８号公報には、テレビジョン受像機等のリモートコントローラに用いられるポインティング入力装置が開示されている。このポインティング入力装置は、円盤状の操作ボタンに、４分割した分割領域にそれぞれ圧力センサを配設して押下操作を検出するとともに、スライドスイッチを設けてスライド移動操作を検出する。
【発明の開示】
本発明は、上記の問題点に鑑みてなされたものであって、大画面のデータを閲覧・編集するときでも、利用者が片手で容易に操作できるように操作性を向上した携帯型電子機器を提供することを目的とする。
上記課題を解決するために、本発明の携帯型電子機器は、第１の方向キー、および前記第１の方向キーの近傍に設けた第２の方向キーの各押下操作を検出して検出信号を出力するキー操作部と、表示部と、前記キー操作部からの検出信号に応じて前記表示部の画面表示を制御する制御部とを備える電子機器であって、前記制御部が、前記第１の方向キーが単独で押下操作された場合に出力される検出信号に応じて、前記表示部の画面に表示されるカーソルを前記画面で移動させるためのカーソル移動情報を出力するカーソル移動検出手段と、前記第１の方向キーと前記第２の方向キーとが同時に押下操作された場合に出力される検出信号に応じて、前記表示部の画面をスクロール移動させるためのスクロール操作情報を出力するスクロール移動検出手段とを備えることを特徴とする。
本発明の携帯型電子機器によれば、第１の方向キー、および第１の方向キーに隣接させて設けた第２の方向キーを含むキー操作部の各方向キーに対し、利用者が片手（親指）で押下操作するだけで、カーソルを表示部の画面上で移動させるためのカーソル移動情報、および表示部の画面をスクロール移動させるためのスクロール操作情報の中の１つを選択的に制御部へ出力する。制御部は、受取った画面表示情報にしたがい表示部の画面表示を制御する。したがって、本発明の携帯型電子機器によれば、大画面のデータを閲覧・編集するときでも、利用者は片手（親指）で容易に操作でき、操作性を高めることができる。
【図面の簡単な説明】  本発明の他の目的、特徴及び利点については、添付の図面に基づき下記の発明の詳細な説明を理解することにより明確となる。
図１は、本発明の一実施例の携帯型電子機器を示す図である。
図２は、図１の携帯型電子機器の表示部においてカーソルを固定しながら画面をスクロール移動させる第１のスクロール操作を説明するための図である。
図３は、図１の携帯型電子機器の表示部においてカーソルを含めた画面をスクロール移動させる第２のスクロール操作を説明するための図である。
図４は、図１の携帯型電子機器におけるキー操作部の基本構成を示す図である。
図５は、第２のスクロール操作の応用例を説明するための図である。
図６は、図１の携帯型電子機器におけるキー操作部の変形例を示す図である。
図７は、図１の携帯型電子機器におけるキー操作部の他の変形例を示す図である。
図８は、本発明の携帯型電子機器の基本操作を行うときの制御手順を説明するためのフロー図である。
図９は、アプリケーションソフトウェアの設定操作を行うときの制御手順を説明するためのフロー図である。
図１０は、地図閲覧ソフトウェアを起動して地図データの閲覧操作を行うときの制御手順を説明するためのフロー図である。
図１１は、本発明の携帯型電子機器における制御部の構成例を示すブロック図である。
【発明を実施するための最良の形態】  本発明の実施の形態を添付の図面を用いて説明する。
図１は、本発明の一実施例の携帯型電子機器を示す。
図１には、本発明の携帯型電子機器を適用したＰＤＡの構成例が示されている。
図１において、このＰＤＡ１０は、カーソル１１が画面に表示される表示部１４と、キー操作部１５と、制御部（図示なし）とを備えている。このＰＤＡ１０の制御部については、図１１を用いて後述する。
表示部１４は、画面上に表示されるデータの上下、左右の各方向のスクロール移動と連動して表示される、左右スクロールバー１２と、上下スクロールバー１３とを含む。
図１のＰＤＡ１０は、従来のＰＤＡと同様に、表示部１４の画面上で、パーソナルコンピュータと連携したデータの閲覧・編集ができ、モデムや携帯電話を利用して電子メールやファックスの送受信、インターネットへのアクセスができるように構成されている。同時に、このＰＤＡ１０は、アプリケーションソフトウェアをインストールしておくことで、そのソフトウェアを実行させ、実行結果を表示部１４の画面上に表示することができる。
前述したように、従来のＰＤＡは、タッチパネル等の表示部をスタイラス・ペンでポイントする構成であるため、利用者は片手にＰＤＡ本体、もう一方の手にスタイラス・ペンを持たなければならない。そのため、ＰＤＡを片手で操作することは困難である。この問題を解消するため、図１の携帯型電子機器は、従来のＰＤＡのようなスタイラス・ペンを用いずに、パーソナルコンピュータの表示部と同様なカーソル１１を表示部１４に表示するとともに、キー操作部１５を図４に示したように構成している。
図４は、図１の携帯型電子機器のキー操作部１５の基本構成を示す。
図４に示したように、キー操作部１５は円形状に形成されており、中央内側に設けた内側方向キー１５ｅと、内側方向キー１５ｅの外側に隣接させて設けた４つの外側方向キー１５ａ、１５ｂ、１５ｃ、１５ｄとを備える。
図１のＰＤＡ１０において、表示部１４は、制御部の記憶部に記憶されたデータに基づいてそのデータを画面上に表示する。キー操作部１５には、上記した各方向キーに対する利用者の押下操作を検出する複数の圧力センサが設けてあり、各圧力センサは、対応する方向キーの押下操作を検出した場合に検出信号を出力する。制御部は、キー操作部１５から出力される検出信号に応じて表示部１４の画面表示を制御する。
図１のＰＤＡ１０は上記したように構成されており、図４のキー操作部１５は、大画面のデータを閲覧・編集するときでも、利用者が片手で容易に操作できるように、各方向キーに以下に説明するような機能を割当てている。
内側方向キー１５ｅには、単独で押下操作した場合に、カーソル１１を表示部１４の画面上で移動させるためのカーソル移動情報を制御部のＣＰＵへ出力する機能が割当てられている。また、内側方向キー１５ｅには、単独でクリック操作した場合に、表示部１４の画面を、カーソル１１の直前の表示位置を含む画面に瞬時に戻すための制御情報を制御部のＣＰＵへ出力する機能が割当てられている。
さらに、内側方向キー１５ｅには、４つの外側方向キー１５ａ、１５ｂ、１５ｃ、１５ｄの１つと同時に押下操作した場合に、表示部１４の画面を、上下左右方向のいずれかの方向（同時押下された外側方向キーによって決められる方向）に、スクロール移動させるためのスクロール操作情報を制御部のＣＰＵへ出力する機能が割当てられている。
この実施例のＰＤＡ１０では、キー操作部１５の４つの外側方向キー１５ａ、１５ｂ、１５ｃ、１５ｄにはそれぞれ、単独で押下操作した場合に、次のような機能が割当てられている。
外側方向キー１５ａには、単独で押下操作した場合に、カーソル１１の表示位置を固定したまま表示部１４の画面を下方向にスクロール移動させるための第１のスクロール操作情報▲１▼を制御部のＣＰＵへ出力する機能が割当てられている（図２参照）。
外側方向キー１５ｂには、単独で押下操作した場合に、カーソル１１を含めた表示部１４の画面を下方向にスクロール移動させるための第２のスクロール操作情報▲２▼を制御部のＣＰＵへ出力する機能が割当てられている（図３参照）。
外側方向キー１５ｄには、単独で押下操作した場合に、表示部１４の画面上で、制御部にインストール済のアプリケーションソフトウェアの設定操作を行うためのアプリケーション操作情報を制御部のＣＰＵへ出力する機能が割当てられている。このアプリケーションソフトウェアは、例えば、表示部１４の画面に表示されるデータ中の文字の大きさを拡大して、利用者が閲覧する際に判読し易くする機能を付加するプログラムである。
外側方向キー１５ｃには、単独で押下操作した場合に、表示部１４の画面上で、制御部にインストール済の他のアプリケーションソフトウェアの設定操作を行うためのアプリケーション操作情報を制御部のＣＰＵへ出力する機能が割当てられている。
図２は、図１の携帯型電子機器の表示部１４においてカーソルの表示位置を固定しながら画面をスクロール移動する第１のスクロール操作を説明するための図である。
図２の（ａ）において、表示部１４の画面には、カーソル１１と表示データ１６とが表示されている。この状態で、利用者がキー操作部１５の外側方向キー１５ａを単独で押下操作すると、第１のスクロール操作情報▲１▼が制御部のＣＰＵへ出力される。この第１のスクロール操作情報▲１▼に従って、制御部のＣＰＵは表示部１４の画面表示を制御するため、図２の（ｂ）に示したように、カーソル１１の表示位置を固定したまま表示部１４の画面を下方向にスクロール移動させる。
図２のスクロール操作は、ＰＤＡ１０の表示部１４の画面に長文データが表示される場合に、文章をカーソル１１で追いながら、スクロール移動させるのに便利である。
図３は、図１の携帯型電子機器の表示部においてカーソルを含めた画面をスクロール移動する第２のスクロール操作を説明するための図である。
図３の（ａ）において、表示部１４の画面には、カーソル１１を含む表示データ１６が表示されている。この状態で、利用者がキー操作部１５の外側方向キー１５ｂを単独で押下操作すると、第２のスクロール操作情報▲２▼が制御部のＣＰＵへ出力される。この第２のスクロール操作情報▲２▼に従って、制御部のＣＰＵは表示部１４の画面表示を制御するため、図３の（ｂ）に示したように、カーソル１１を含めた表示部１４の画面上の表示データを下方向にスクロール移動させる。
図３のスクロール操作は、ＰＤＡ１０の表示部１４に大画面のデータ（例えば、新聞、地図などのデータ）が表示される場合に、利用者が表示データを閲覧するのに適している。
また、図１の携帯型電子機器は、利用者がキー操作部１５の各方向キーに対し、通常の押下操作する場合と、所定の時間を超えて押下操作を継続的に行う場合と、内側方向キーと外側方向キーを同時に押下操作する場合等を、それぞれ異なる押下操作として検出できるよう構成してもよい。
図４のキー操作部１５は、中央に方向キーを集めて構成してあるので、利用者が片手（親指）で押下操作することを容易にしている。
また、利用者が親指で内側方向キー１５ｅを押下してカーソル１１を移動操作しているときに、親指を少しずらして内側方向キーと外側方向キーを同時に押下操作することが容易にできる。この押下操作を行うことで、表示部１４の画面上でカーソル１１を移動しながら、スクロール移動を行うことが可能である。ＰＤＡ１０を片手で操作してインターネットにアクセスする際に有効な手段となる。
図１１は、本発明の携帯型電子機器における制御部の構成例を示す。
図１１の制御部は、図１のＰＤＡ１０における制御部の要部構成の一例である。図１１において、この制御部は、ＣＰＵ２０と、出力回路２１と、カーソル移動検出回路２２と、スクロール移動検出回路２３と、アプリケーション設定操作検出回路２４と、内側方向キー押下検出回路２５と、外側方向キー押下検出回路２６と、内側・外側方向キー同時押下検出回路２７とを含む。
ＰＤＡ１０におけるキー操作部１５には、内側方向キー１５ｅと外側方向キー１５ｄの圧力センサとして、内側方向キー圧力センサ２８と外側方向キー圧力センサ２９とが設けてある。圧力センサは、キー操作部１５の４つの外側方向キー１５ａ，１５ｂ，１５ｃ，１５ｄのそれぞれについて設ける必要がある。図１１では、説明の便宜上、外側方向キー１５ｄの圧力センサとして設けた外側方向キー圧力センサ２９のみ示してある。他の外側方向キー１５ａ，１５ｂ，１５ｃについても、同様に圧力センサが設けてあるものとする。
キー操作部１５の内側方向キー圧力センサ２８は、内側方向キー１５ｅが押下操作された場合に、その押下操作を検出して検出信号を、内側方向キー押下検出回路２５と同時押下検出回路２７へ出力する。同様に、キー操作部１５の外側方向キー圧力センサ２９は、外側方向キー１５ｄが押下操作された場合に、その押下操作を検出した検出信号を、外側方向キー押下検出回路２６と同時押下検出回路２７へ出力する。
内側・外側方向キー同時押下検出回路２７は、圧力センサ２８と圧力センサ２９から同時に検出信号を受取った場合に、内側方向キー１５ｅと外側方向キー１５ｄとが同時に押下操作されたことを示す同時押下検出信号を、内側方向キー押下検出回路２５と、外側方向キー押下検出回路２６と、スクロール移動検出回路へそれぞれ出力する。
内側方向キー押下検出回路２５は、圧力センサ２８からの検出信号のみを受取り、同時押下検出回路２７からの同時押下検出信号を受取らない場合に、内側方向キー１５ｅが単独で押下操作されたことを示す内側方向キー単独押下検出信号をカーソル移動検出回路２２へ出力する。
外側方向キー押下検出回路２６は、圧力センサ２９からの検出信号のみを受取り、同時押下検出回路２７からの同時押下検出信号を受取らない場合に、外側方向キー１５ｄが単独で押下操作されたことを示す外側方向キー単独押下検出信号をアプリケーション設定操作検出回路２４へ出力する。
カーソル移動検出回路２２は、内側方向キー押下検出回路２５から出力される内側方向キー単独押下検出信号に応じて、カーソル１１を表示部１４の画面上で移動させるためのカーソル移動情報をＣＰＵ２０へ出力する。ＣＰＵ２０は、カーソル移動検出回路２２から出力されるカーソル移動情報を出力回路２１を介して表示部１４へ出力する。したがって、表示部１４の画面上でカーソル１１が、利用者の指定した方向に移動する。
スクロール移動検出回路２３は、同時押下検出回路２７から出力される同時押下検出信号に応じて、表示部１４の画面をスクロール移動させるためのスクロール移動情報をＣＰＵ２０へ出力する。ＣＰＵ２０は、スクロール移動検出回路２３から出力されるスクロール移動情報を出力回路２１を介して表示部１４へ出力する。したがって、表示部１４の画面が、利用者の指定した方向（内側方向キー１５ｅと同時に押下操作した外側方向キーが示す方向）にスクロール移動する。
アプリケーション設定操作検出回路２４は、外側方向キー押下検出回路２６から出力される外側方向キー単独押下検出信号に応じて、表示部１４の画面上で前記アプリケーションソフトウェアの設定操作を行うためのアプリケーション設定操作情報をＣＰＵ２０へ出力する。ＣＰＵ２０は、アプリケーション設定操作検出回路２４から出力されるアプリケーション設定操作情報を出力回路２１を介して表示部１４へ出力する。したがって、表示部１４の画面上で前記アプリケーションソフトウェアの設定操作（起動または終了）が行われる。このアプリケーションソフトウェアは、例えば、表示部１４の画面に表示されるデータ中の文字の大きさを拡大して、利用者が閲覧する際に判読し易くする機能をもつプログラムである。
図６は、図１の携帯型電子機器におけるキー操作部の変形例を示す図である。
図６に示したキー操作部１５Ａは３段の方向キーを配設した例である。キー操作部１５Ａは、図４の構成における外側方向キー１５ａ、１５ｂ、１５ｃ、１５ｄのさらに外側に隣接させて設けた、方向キー１５ｆ、１５ｇ、１５ｈ、１５ｉをそれぞれ含むよう構成してある。
同様に、図１の携帯型電子機器のキー操作部は４段以上の複数段の方向キーを配設した構成とすることも可能である。
図７は、図１の携帯型電子機器のキー操作部の別の変形例を示す図である。
図７に示したキー操作部１５Ｂは、２段の方向キーを配設した例であり、図４の構成における４つの外側方向キー１５ａ、１５ｂ、１５ｃ、１５ｄの代わりに、４つの外側方向キーを一体的に形成した外側方向キー１５ｊを設けている。図７のキー操作部１５Ｂのように構成すれば、利用者は、内側方向キーと外側方向キーを同時に押下操作する場合に、上下左右方向だけでなく、斜め方向のスクロール移動の押下操作も容易にできる。
図８は、本発明の携帯型電子機器の基本操作を行うときの制御手順を説明するためのフロー図である。
図８の制御手順は、本発明の携帯型電子機器の制御部（図１１のＣＰＵ２０）が記憶部（図示なし）に記憶されたプログラムにしたがって実行することにより、表示部１４の画面表示を制御する。
図８の制御手順では、まず、ステップＳ１１においてＣＰＵ２０は、キー操作部１５のいずれかの方向キーに対する押下操作の有無を監視する。キー操作部１５のいずれかの方向キーに対し利用者が押下操作を行った場合に、次のステップＳ１２へ移行する。
ステップＳ１２においてＣＰＵ２０は、内側方向キー１５ｅと外側方向キー１５ａ−１５ｄの１つとが同時に押下操作されたか否かを判定する。ステップＳ１２の判定結果がＹＥＳであれば、ステップＳ１３においてＣＰＵ２０は、スクロール移動検出回路２３から出力されるスクロール移動情報を出力回路２１を介して表示部１４へ出力する。ステップＳ１３が完了すると、ステップＳ１１へ戻る。
ステップＳ１２の判定結果がＮＯであれば、次のステップＳ１４へ移行する。ステップＳ１４においてＣＰＵ２０は、内側方向キー１５ｅが単独で押下操作されたか否かを判定する。ステップＳ１４の判定結果がＹＥＳであれば、ステップＳ１５においてＣＰＵ２０は、カーソル移動検出回路２２から出力されるカーソル移動情報を出力回路２１を介して表示部１４へ出力する。ステップＳ１５が完了すると、ステップＳ１１へ戻る。
ステップＳ１４の判定結果がＮＯであれば、次のステップＳ１６へ移行する。ステップＳ１６においてＣＰＵ２０は、外側方向キー１５ｄが単独で押下操作されたか否かを判定する。ステップＳ１６の判定結果がＹＥＳであれば、ステップＳ１７においてＣＰＵ２０は、アプリケーション設定操作検出回路２４から出力されるアプリケーション設定情報を出力回路２１を介して表示部１４へ出力する（図９参照）。ステップＳ１７が完了した場合、またはステップＳ１６の判定結果がＮＯである場合、ステップＳ１１へ戻る。
図９は、アプリケーションソフトウェアの設定操作を行うときの制御手順を説明するためのフロー図である。
図９の制御手順は、本発明の携帯型電子機器の制御部（図１１のＣＰＵ２０）が記憶部（図示なし）に記憶されたプログラムにしたがって実行することにより、表示部１４の画面表示を制御する。
まず、ステップＳ２１においてＣＰＵ２０が、キー操作部１５のいずれかの外側方向キーが単独で押下操作されたことを判定した場合（例えば、図８のステップＳ１６の判定結果がＹＥＳの場合を含む）に、図９の制御手順が開始される。
ステップＳ２２においてＣＰＵ２０は、外側方向キー１５ａが単独で押下操作されたか否かを判定する。ステップＳ２２の判定結果がＹＥＳであれば、ステップＳ２３においてＣＰＵ２０は、第１のスクロール移動情報▲１▼（図２参照）を、出力回路２１を介して表示部１４へ出力する。ステップＳ２３が完了すると、次のステップＳ３０へ移行する。
ステップＳ２２の判定結果がＮＯであれば、次のステップＳ２４においてＣＰＵ２０は、外側方向キー１５ｂが単独で押下操作されたか否かを判定する。ステップＳ２４の判定結果がＹＥＳであれば、ステップＳ２５においてＣＰＵ２０は、第２のスクロール移動情報▲２▼（図３参照）を、出力回路２１を介して表示部１４へ出力する。ステップＳ２５が完了すると、ステップＳ３０へ移行する。
ステップＳ２４の判定結果がＮＯであれば、次のステップＳ２６においてＣＰＵ２０は、外側方向キー１５ｄが単独で押下操作されたか否かを判定する。ステップＳ２６の判定結果がＹＥＳであれば、ステップＳ２７においてＣＰＵ２０は、アプリケーション設定操作検出回路２４から出力されるアプリケーション設定情報を、出力回路２１を介して表示部１４へ出力する。
このとき出力されるアプリケーション設定情報が、例えば、前記アプリケーションソフトウェアを起動するための制御情報である場合、前記付加機能により、表示部１４の画面に表示されるデータ中の文字の大きさが拡大される。
一方、利用者による外側方向キー１５ｄの単独押下操作が再度行われると、そのとき出力されるアプリケーション設定情報は、前記アプリケーションソフトウェアを終了するための制御情報となる。
ステップＳ２７が完了すると、ステップＳ３０へ移行する。
ステップＳ２６の判定結果がＮＯである場合、次のステップＳ２８においてＣＰＵ２０は、外側方向キー１５ｃが単独で押下操作されたか否かを判定する。ステップＳ２８の判定結果がＹＥＳであれば、ステップＳ２９においてＣＰＵ２０は、他のアプリケーションソフトウェアの設定操作を行うためのアプリケーション設定情報を、出力回路２１を介して表示部１４へ出力する。ステップＳ２９が完了すると、ステップＳ３０へ移行する。
ステップＳ３０においてＣＰＵ２０は、キー操作部１５のいずれかの方向キーに対する押下操作の有無を監視する。前述したように、キー操作部１５のいずれかの方向キーに対し利用者が押下操作を行った場合には、図８に示した制御手順、またはその他の制御手順が開始される。
次に、図５は、第２のスクロール操作の応用例を説明するための図である。
この例では、地図閲覧ソフトウェアを起動した場合における第２のスクロール操作の応用例を示す。
まず、地図閲覧ソフトウェアを起動する。次に、第２のスクロール操作情報▲２▼を設定する。そして、内側方向キー１５ｅを単独で押下操作して、カーソル１１を、地図データ中の現在地を示す画像１７ａをポイントする位置へ移動する。
このとき、表示部１４の画面には、図５の（ａ）に示したように、この地図データ中の現在地を示す画像１７ａと、カーソル１１とが表示される。
ここで、外側方向キー１５ｂが単独で押下操作されると、第２のスクロール操作情報が制御部のＣＰＵ２０へ出力され、カーソル１１を含めた表示部１４の画面が下方向にスクロール移動される。この操作を繰り返すことにより、図５の（ｂ）に示したように、表示部１４の画面において地図データ中の目的地を示す画像１７ｂを探索する。
そして、利用者が現在地を示す画像１７ａに戻りたい場合には、内側方向キー１５ｅをクリック操作する。表示部１４の画面は、図５の（ａ）に示した状態に瞬時にもどる。
図５の例は、利用者が表示部１４の画面で表示サイズの大きいデータ（新聞、地図など）を閲覧するときに有効である。
図１０は、図５に示した、地図閲覧ソフトウェアを起動して地図データの閲覧操作を行うときの制御手順を説明するためのフロー図である。
図１０の制御手順は、本発明の携帯型電子機器の制御部（図１１のＣＰＵ２０）が記憶部（図示なし）に記憶されたプログラムにしたがって実行することにより、表示部１４の画面表示を制御する。
図１０の制御手順では、まず、ステップＳ３１においてＣＰＵ２０は、地図閲覧ソフトウェアを起動する。このステップＳ３１では、例えば、利用者がキー操作部１５の外側方向キー１５ｂを単独で押下操作することで、ＣＰＵ２０は、それに応じて地図閲覧ソフトウェアを起動する。
ステップＳ３２においてＣＰＵ２０は、第２のスクロール操作情報▲２▼を設定する。
ステップＳ３３においてＣＰＵ２０は、キー操作部１５のいずれかの方向キーに対する押下操作の有無を監視する。前述したように、キー操作部１５のいずれかの方向キーに対し利用者が押下操作を行った場合に、次のステップＳ３４へ移行する。
ステップＳ３４においてＣＰＵ２０は、図８のステップＳ１２−Ｓ１７と同様な手順を実行する。利用者は、カーソル移動操作やスクロール移動操作などを用いて、地図データの閲覧操作を行う。
ステップＳ３５においてＣＰＵ２０は、内側方向キー１５ｅがクリック操作されたか否かを判定する。ステップＳ３５の判定結果がＹＥＳである場合に、ステップＳ３６においてＣＰＵ２０は、内側方向キー１５ｅのクリック操作に応じて表示部１４の画面表示を制御する。表示部１４の画面は、カーソル１１の直前の表示位置を含む画面に瞬時にもどる。
ステップＳ３６が完了した場合、またはステップＳ３５の判定結果がＮＯである場合、上記ステップＳ３３へ戻る。
以上説明したように、本発明の携帯型電子装置によれば、大画面のデータを閲覧・編集するときでも、利用者は片手（親指）で容易に操作でき、操作性を高めることができる。
以上、本発明を実施例に基づいて説明したが、本発明は上記実施例に限定されるものではなく、請求項に記載した範囲内で様々な変形が可能である。
【図１】
2004079556.tif 000003
【図２】
2004079556.tif 000004
【図３】
2004079556.tif 000005
【図４】
2004079556.tif 000006
【図５】
2004079556.tif 000007
【図６】
2004079556.tif 000008
【図７】
2004079556.tif 000009
【図８】
2004079556.tif 000010
【図９】
2004079556.tif 000011
【図１０】
2004079556.tif 000012
【図１１】
2004079556.tif 000013
【国際調査報告】
2004079556.tif 000014
2004079556.tif 000015
2004079556.tif 000016
2004079556.tif 000017